(57)【特許請求の範囲】
【請求項１】
機器を固定する固定部と、該固定部から突出する棒状の突出体と、該突出体に着脱可能に装着され、ヘッドレストの支持棒に係止するための係止体とを備え、機器を座席に固定する固定具において、
前記突出体は、
前記突出体の突出方向に延びる溝と、
外周面に設けられ、前記係止体を係止して前記突出方向に摺動可能に案内する案内レールと
を有し、
前記係止体は、
前記支持棒を係止するフック部と、
該フック部の一端に延設され、前記溝に挿入されて前記突出方向に摺動可能に固定された凸部と、
前記フック部の前記一端に設けられ、前記案内レールに係止される被係止部と
を有し、
前記突出体には、前記溝の底部にて、前記突出方向に延びる孔が貫設され、
前記係止体は、前記凸部に設けられたねじ穴と、前記孔に挿通され、前記ねじ穴に螺合し、前記凸部を前記突出体に固定するねじとを有し、
前記被係止部は、前記案内レールを覆う被覆体と、該被覆体から前記突出体の外周面に向けて突出する凸体とを有し、
前記案内レールは、前記溝の側面側に位置し、前記突出方向に延びており、前記凸体を係止する凸条である
ことを特徴とする固定具。
【請求項２】
前記孔の一端部は前記案内レールの一端部よりも延び、
前記案内レールの前記一端部は前記溝の底部側に曲折しており、
前記案内レールの他端部は前記孔の他端部よりも延びていること
を特徴とする請求項１に記載の固定具。
【請求項３】
前記係止体は、前記凸体を軸として回転可能であることを特徴とする請求項２に記載の固定具。
【請求項４】
前記フック部の深さの寸法は、前記ヘッドレストの前記支持棒の径方向の寸法の半分よりも大きいことを特徴とする請求項１から３までのいずれか一つに記載の固定具。
【請求項５】
前記係止体を二つ有し、
該二つの係止体は、夫々の前記フック部の他端が前記突出方向において、対向するか又は反対向きになるように前記突出体に装着されていること
を特徴とする請求項１から４までのいずれか一つに記載の固定具。
【発明の詳細な説明】
【技術分野】
【０００１】
本発明は、空気清浄機又は液晶テレビ等の機器を座席に固定する固定具に関する。
【背景技術】
【０００２】
従来、車輌において、空気清浄機又は小型の液晶テレビ等の機器を車内に設置する場合がある。該場合において、機器は、該機器を固定する固定具を介して座席に固定されることが多い。
【０００３】
一般に、車輌の座席は、座部と、該座部から突出する背もたれと、該背もたれにおける前記座部の反対側の端面に取り付けられたヘッドレストとを備えている。ヘッドレストには、所定間隔を隔てて二本の支持棒が突設されている。各支持棒は、背もたれの端面において各支持棒に対応する位置に設けられた孔に挿入され、固定されている。これにより、各支持棒はヘッドレストを背もたれの端面にて支持している。
【０００４】
例えば、特許文献１には、上記の如く構成された座席に取り付けて使用される固定具（車載用モニター取付具）が開示されている。該固定具は、機器（車載用モニター）が固定される棒状のアームと、該アームに取り付けられた二つの係止体（固定台）とを備える。各係止体には、ヘッドレストの支持棒（ヘッドレストステー）が挿通される挿通孔が設けられている。機器は、アームの一端に取り付けられ、二つの係止体は、夫々の挿通孔がヘッドレスト二本の支持棒の間隔に対応する間隔を隔てるように、アームに取り付けられている。固定具は、背もたれから一旦ヘッドレストを取り外して二つの係止部の挿通孔夫々に支持棒を挿通させることにより座席に取り付けられる。
【先行技術文献】
【特許文献】
【０００５】
【特許文献１】特開２００７−３０８７７号公報
【発明の概要】
【発明が解決しようとする課題】
【０００６】
しかしながら、特許文献１に記載の固定具では、ヘッドレストを取り外すことができない車種には取り付けることができないという問題がある。また、係止体の挿通孔の大きさ又は材質等は製造段階で定められることとなるので、車種により異なる二本の支持棒の間隔又は支持棒の寸法等に対応することができないという問題がある。
【０００７】
本発明は、斯かる事情に鑑みてなされたものであり、その目的とするところは、ヘッドレストの支持棒への取り付けが容易であり、様々な車種に対応できる固定具を提供することにある。
【課題を解決するための手段】
【０００８】
本発明に係る固定具は、機器を固定する固定部と、該固定部から突出する棒状の突出体と、該突出体に着脱可能に装着され、ヘッドレストの支持棒に係止するための係止体とを備え、機器を座席に固定する固定具において、前記突出体は、前記突出体の突出方向に延びる溝と、外周面に設けられ、前記係止体を係止して前記突出方向に摺動可能に案内する案内レールとを有し、前記係止体は、前記支持棒を係止するフック部と、該フック部の一端に延設され、前記溝に挿入されて前記突出方向に摺動可能に固定された凸部と、前記フック部の前記一端に設けられ、前記案内レールに係止される被係止部とを有することを特徴とする。
【０００９】
本発明に係る固定具は、前記突出体には、前記溝の底部にて、前記突出方向に延びる孔が貫設され、前記係止体は、前記凸部に設けられたねじ穴と、前記孔に挿通され、前記ねじ穴に螺合し、前記凸部を前記突出体に固定するねじとを有し、前記被係止部は、前記案内レールを覆う被覆体と、該被覆体から前記突出体の外周面に向けて突出する凸体とを有し、前記案内レールは、前記溝の側面側に位置し、前記突出方向に延びており、前記凸体を係止する凸条であり、前記孔の一端部は前記案内レールの一端部よりも延び、前記案内レールの前記一端部は前記溝の底部側に曲折しており、前記案内レールの他端部は前記孔の他端部よりも延びていることを特徴とする。
【００１０】
本発明に係る固定具は、前記係止体は、前記凸体を軸として回転可能であることを特徴とする。
【００１１】
本発明に係る固定具は、前記フック部の深さの寸法は、前記ヘッドレストの前記支持棒の径方向の寸法の半分よりも大きいことを特徴とする。
【００１２】
本発明に係る固定具は、前記係止体を二つ有し、該二つの係止体は、夫々の前記フック部の他端が前記突出方向において、対向するか又は反対向きになるように前記突出体に装着されていることを特徴とする。
【発明の効果】
【００１３】
本発明によれば、ヘッドレストの支持棒への取り付けが容易であり、様々な車種に対応できる。
【図面の簡単な説明】
【００１４】
【図１】実施の形態１に係る固定具及び該固定具が取り付けられた座席を示す平面図である。
【図２】座席に取り付けられた固定具を示す斜視図である。
【図３】空気清浄機を固定した固定具を示す斜視図である。
【図４】図２のＩＶ−ＩＶ線による断面図である。
【図５】固定具の取り付けの説明図である。
【図６】実施の形態２に係る固定具を示す斜視図である。
【図７】図６のＶＩＩ−ＶＩＩ線による断面図である。
【図８】実施の形態３に係る固定具を示す斜視図である。
【図９】実施の形態３に係る固定具が取り付けられた座席を示す斜視図である。
【図１０】実施の形態４に係る固定具を示す斜視図である。
【図１１】実施の形態４に係る固定具を示す斜視図である。
【図１２】第２係止部の取り付けの説明図である。
【図１３】実施の形態５に係る固定具を示す斜視図である。
【発明を実施するための形態】
【００１５】
以下、本発明をその実施の形態を示す図面に基づいて詳述する。
（実施の形態１）
図１は、実施の形態１に係る固定具及び該固定具が取り付けられた座席を示す平面図である。図１において、１は、車輌の座席であり、座席１は、座部（不図示）に突設された背もたれ１０と、該背もたれ１０における前記座部の反対側の端面１０ａに取り付けられたヘッドレスト１１とを備える。
【００１６】
ヘッドレスト１１には、所定間隔を隔てて二本の円柱状の支持棒１２，１２が突設されている。各支持棒１２は、背もたれ１０の端面１０ａにおいて各支持棒１２に対応する位置に設けられた孔（不図示）に挿入され、固定されている。これにより、各支持棒１２はヘッドレスト１１を背もたれ１０の端面１０ａにて支持している。また、各支持棒１２は、背もたれ１０の端面１０ａの前記孔にて挿入量を調整して固定することができ、また背もたれ１０から取り外すことができる。各支持棒１２，１２には固定具２が取り付けられており、該固定具２には空気清浄機３が固定されている。即ち、空気清浄機３は、固定具２を介して座席１に固定されている。なお、座席１に固定される機器は、空気清浄機３に限られず、液晶テレビ又はタブレット端末等であってもよい。
【００１７】
図２は、座席１に取り付けられた固定具２を示す斜視図であり、図３は、空気清浄機３を固定した固定具２を示す斜視図である。図４は、図２のＩＶ−ＩＶ線による断面図である。図２では、空気清浄機３及びヘッドレスト１１の図示を省略し、図３では、座席１の図示を省略している。また、図４では、空気清浄機３及び座席１の図示を省略している。
【００１８】
固定具２は、空気清浄機３が固定される固定ブロック２０と、該固定ブロック２０から互いに反対向きに突出する二本の棒状のアーム２１，２１と、各アーム２１に着脱可能に装着され、固定具２を支持棒１２に係止する二つの係止体２２，２２とを備える。固定具２は全体として、背もたれ１０の端面１０ａよりも小さい。これにより、車輌の利用者が固定具２に衝突することによる固定具２の損壊又は利用者の怪我等を防止することができる。
【００１９】
図３に示すように、空気清浄機３は固定板３０を介して、固定具２の固定ブロック２０に固定されている。固定板３０は、例えば直角に曲がった板であり、背もたれの形状に沿わせて配されて固定ブロック２０にねじにより固定されている。また、空気清浄機３は固定板３０にねじにより固定されている。
【００２０】
アーム２１は、突出方向に長い短冊状の凸板２１ａと、該凸板２１ａの一面にて二つの長辺夫々から垂直に立ち上がる側板２１ｂ，２１ｂとを有する。アーム２１において凸板２１ａ及び側板２１ｂ、２１ｂによりアーム２１の突出方向に延びる溝が形成されている。なお、アーム２１は、溝が形成された四角柱又は円柱等であってもよい。
【００２１】
凸板２１ａには、前記突出方向に長い長孔２１ｃが設けられている。各側板２１ｂの外面には、夫々前記突出方向に長い凸条２１ｄが設けられている。凸条２１ｄは、固定ブロック２０側の一端部が凸板２１ａ側、即ち溝の底部側に向けて直角に曲折しており、全体としてＬ字状である。長孔２１ｃの固定ブロック２０側の一端部は、凸条２１ｄの同側の一端部よりも固定ブロック２０側に延びている。また、凸条２１ｄの他端部は長孔２１ｃの他端部よりも固定ブロック２０の反対側に延びている。
【００２２】
係止体２２は、半円のアーチ状をなし、対向する二枚の平板２３ａ，２３ａと該平板２３ａ，２３ａを接続する接続板２３ｂとを有するフック部２３を備える。接続板２３ｂは、平板２３ａ，２３ａ夫々におけるアーチ部分に沿って設けられ、アーチ部分の開口の反対側部分を接続している。また、フック部２３は、接続板２３ｂの一方の端面、即ち、フック部２３の一端に延設された凸部２４を有する。平板２３ａ，２３ａのアーチ部分の径、即ちフック部２３の深さの寸法は、支持棒１２の半径よりも大きい。なお、フック部２３の深さの寸法は１５ｍｍ以上であることが好ましい。これにより、現存のヘッドレストの支持棒の内、最大寸法である１５ｍｍの支持棒に対応することができ、現存の車種におけるすべての座席に対応できる。凸部２４には、延設方向にねじ穴２４ａが設けられている。二つの係止体２２，２２は、夫々のフック部２３の他端がアーム２１の突出方向にて対向するようにアーム２１に装着されている。
【００２３】
また、係止体２２は、凸部２４のねじ穴２４ａに螺合するねじ２５を有する。ねじ２５は、摘み部２５ａ及び該摘み部２５ａに突設されたねじ部２５ｂを有する。摘み部２５ａの直径は長孔２１ｃの短径よりも大きい。ねじ部２５ｂの直径は、長孔２１ｃの短径よりも小さい径である。
【００２４】
更に係止体２２は、凸部２４側における平板２３ａ，２３ａ夫々の一端から凸部２４の延設方向に突出し、互いに対向するように設けられた被覆体２６，２６を有する。また、図４に示すように、各被覆体２６の対向部分には凸体２７が設けられている。被覆体２６及び凸体２７は、凸条２１ｄに係止される被係止部をなす。
【００２５】
係止体２２の凸部２４は、側板２１ｂ、２１ｂの間、即ち溝に挿入され、凸板２１ａにおける反対側から、長孔２１ｃにねじ部２５ｂが挿入されたねじ２５を、凸部２４のねじ穴２４ａに螺合させることにより、係止体２２がアーム２１に装着される。このとき、各被覆体２６は、アーム２１の凸条２１ｄを覆っている。また、凸体２７は、側板２１ｃの外面、即ちアーム２１の外周面に接触し、凸条２１ｄに係止されている。ねじ２５の摘み部２５ａは長孔２１ｃを通らずに凸板２１ａに引っ掛かるので、係止体２２はアーム２１に固定される。また、係止体２２は、凸体２７及びアーム２１の凸条２１ｄにより、アーム２１と係止し合う。したがって、係止体２２は、ねじ２５及び凸部２４のねじ穴の螺合を緩めた場合において、凸体２７を軸としてアーム２１に対して回転可能である。
【００２６】
図５は、固定具２の取り付けの説明図である。固定具２を取り付ける場合、固定具２を背もたれ１０の端面１０ａ及びヘッドレスト１１の間に配し、ねじ２５をねじ穴２４ａに緩く螺合させる。凸体２７を軸として各係止体２２を回転させて、図５に示すように、フック部２３及びアーム２１の距離を広げ、支持棒１２を間に挟む。その後、ねじ２５を強く締めることにより、凸部２４をアーム２１に固定し、固定具２は座席１に取り付けられる。
【００２７】
上記の構成によれば、フック部２３をヘッドレスト１２の支持棒１１に引っ掛け、凸部２４を凸板２１ａ及び側板２１ｂ，２１ｂにより形成された溝に挿入して固定することにより、容易に座席１に取り付けることができる。また、凸部２４は前記溝において摺動可能であるので、二本の支持棒１２，１２の間隔に応じて二つの係止体２２，２２の位置を調整し、二本の支持棒１２，１２に取り付けることができる。したがって、固定具２は、支持棒１２への取り付けが容易であり、様々な車種に対応できる。
【００２８】
振動等によりねじ２５が緩むことで凸部２４のアーム２１への固定が外れた場合でも、凸体２７が凸条２１ｄに係止されるので、係止体２２のアーム２１からの脱落を防止できる。また、凸条２１ｄによりアーム２１の突出方向への移動が担保されている。なお、凸条２１ｄに代えて、凸条２１ｄに対応する位置に溝を形成して、凸体２７を係止し、アーム２１の突出方向への係止体２２の移動を担保してもよい。
【００２９】
ねじ２５及びねじ穴２４ａの螺合により容易に凸部２４をアーム２１に固定することができる。長孔２１ｃの固定ブロック２０側の一端部が凸条２１ｄの同側の一端部よりも固定ブロック２０側に延びている。したがって、係止体２２は、凸条２１ｄの一端部側から凸部２４を溝に挿入した場合、凸体２７が凸条２１ｄに引っ掛からずに、容易にアーム２１に装着できる。また、凸条２１ｄの一端部が係止体２２の反対側に曲折しているので、係止体２２が凸条２１ｄに沿って前記一端部まで移動した場合に、凸体２７が凸条２１ｄから抜け落ちることを防止できる。
【００３０】
更に、凸条２１ｄの他端部は長孔２１ｃの他端部よりも固体ブロック２０の反対側に延びているので、係止体２２が長孔２１ｃの他端部に移動した場合に、ねじ２５が長孔２１ｃの他端部に引っ掛かり、凸体２７が凸条２１ｄから抜け落ちることを防止できる。
【００３１】
したがって、係止体２２はアーム２１から脱落しにくい。また、凸条２１ｄの一端部のみを曲折させればよいので、固定具２の製造の際に、凸条２１の両端部を曲折させるよりもアーム２１の形成が容易となる。
【００３２】
更に、凸体２７を軸として係止体２２を回転させるだけで容易にフック部２３及びアーム２１の距離を離隔させ、ヘッドレスト１１の支持棒１２を挟み、フック部２３を支持棒１２に引っ掛けることができる。これにより、固定具２は座席１に容易に取り付けることができる。
【００３３】
また、フック部２３の深さの寸法は、支持棒１２の半径よりも大きいので、ヘッドレスト１１の支持棒１２はフック部２３に深く引っ掛かる。したがって、振動等によりねじ２５が緩むことで凸部２４及び溝の固定が緩み、凸条２１ｄから凸体２７が抜け落ち、フック部２３及びアーム２１が離隔した場合であっても、支持棒１２がフック部２３から抜け落ちることを抑制できる。
【００３４】
更に、二つの係止体２２，２２は、夫々のフック部２３の他端がアーム２１の突出方向にて対向するようにアーム２１に装着されている。したがって、一方の係止体２２が支持棒１２から外れた場合であっても、他方の係止体２２においては、凸部２４が延設された側に支持棒１２がより深く引っかかることとなるので、固定具２が座席１から外れにくい。なお、二つの係止体２２，２２は、夫々のフック部２３の一端がアーム２１の突出方向にて対向するようにアーム２１に装着されていてもよい。
【００３５】
（実施の形態２）
図６は、実施の形態２に係る固定具２を示す斜視図であり、図７は、図６のＶＩＩ−ＶＩＩ線による断面図である。実施の形態２に係る固定具２の構成について、実施の形態１と同様な構成については、同一の符号を付してその詳細な説明を省略する。
【００３６】
実施の形態２の固定具２は、各側板２１ｂにおいて、凸条２１ｄに対応する位置に凸条２１ｄでなく、長孔２１ｅが設けられている。また、係止体２２の各被覆体２６には凸体２７，２７でなく、両被覆体２６の対向部分に接続された軸体２８が設けられている。軸体２８は、長孔２１ｅに挿通されている。係止体２２は、軸体２８を軸として回転することができる。軸体２８を有する固定具２においては、例えば、３Ｄプリンタにより全体を一体として形成することができる。
【００３７】
上記の構成によれば、アーム２１に装着された係止体２２は、軸体２８が長孔２１ｅから抜け落ちず、アーム２１から脱落しにくい。また、軸体２８を軸として回転させるだけで容易に係止体２２及びアーム２１の距離を離隔及び近接させることができ、ヘッドレスト１１の支持棒１２を挟んで固定具２を座席１に容易に取り付けることができる。
【００３８】
（実施の形態３）
図８は、実施の形態３に係る固定具２を示す斜視図である。図９は、実施の形態３に係る固定具２が取り付けられた座席１を示す斜視図である。実施の形態３に係る固定具２の構成について、実施の形態１と同様な構成については、同一の符号を付してその詳細な説明を省略する。なお、図８においては、係止体２２，２２の図示は省略している。
【００３９】
実施の形態３に係る固定具２の各アーム２１の凸板２１ａにおける固定ブロック２０の反対側の前記他端部には、ねじ孔２１ｆが貫設されている。また、固定具２は、空気清浄機３が固定されるアタッチメント２９を有する。アタッチメント２９は有底の筒状をなし、底面側部分に外側に突出するフランジ部２９ａが設けられている。更に、アタッチメント２９は、フランジ部２９ａの反対側部分に貫通孔２９ｂが設けられている。
【００４０】
アタッチメント２９は、貫通孔２９ｂをアーム２１のねじ孔２１ｆに対応させて取り付けられ、ねじをねじ穴２１ｆに螺合させることにより固定される。また、フランジ部２９ａには、図９に示すように、空気清浄機３が固定される。アタッチメント２９のフランジ部２９ａ側部分及び空気清浄機３は背もたれ１０の端面１０ａから突出している。
【００４１】
上記の構成によれば、座席１の後部に座席が設けられている場合に、後部の座席の着席者の邪魔にならないように空気清浄機３を座席１に取り付けることができる。
【００４２】
（実施の形態４）
図１０及び図１１は、実施の形態４に係る固定具４を示す斜視図である。固定具４は、実施の形態１と同様の構成の座席１に取り付けられ、空気清浄機３を座席１に固定する。図１０においては、ヘッドレスト１１及び空気清浄機３の図示は省略している。固定具４は背もたれ１０の端面１０ａに配される。
【００４３】
固体具４は、棒状のアーム４０と、該アーム４０の中央に取り付けられ、空気清浄機３が固定される固定板４１とを備える。また、固定具４は、固定板４１を挟むように配され、アーム４０に摺動可能に取り付けられた二つの係止体４２，４２を備える。
【００４４】
係止体４２は、固定具４をヘッドレスト１１の支持棒１２に係止する第１係止部４３と、固定具４を背もたれ１０に係止する第２係止部４４とを有する。第１係止部４３は、アーム４０に摺動可能に挿通される筒状の基部４３ａと、該基部４３ａの外周面から突設されたプレート４３ｂとを有する。プレート４３ｂには、支持棒１２が挿通される挿通孔４３ｃが貫設されている。第２係止部４４は、プレート状をなし、第１係止部４３のプレート４３ｂに対向配置されており、第１係止部４３の挿通孔４３ｃに対応する位置にＵ字状の切り欠き４４ａが設けられている。
【００４５】
第１係止部４３の基部４３ａにはアーム４０が挿通されている。第１係止部４３のプレート４３ｂ及び第２係止部４４は、所定距離離隔した状態で、例えばボルト及びナットにより互いに固定されている。このとき、切り欠き４４ａの開口は、固定板４１の反対側に位置している。また、二つの係止体４２、４２は、互いの第２係止部４４の切り欠き４４ａの開口部分が反対向きになるようにアーム４０に取り付けられている。支持棒１２は、第１係止部４３の挿通孔４３ｃに挿通され、係止部４４のＵ字状の切り欠き４４ａ内に位置している。
【００４６】
図１２は、第２係止部４４の取り付けの説明図である。背もたれ１０の端面１０ａには、各支持棒１２を保持する二つの保持体１３，１３が設けられている。保持体１３は、直方体状をなし、中央に支持棒１２が挿通される挿通孔１３ａが設けられている。背もたれ１０の端面１０ａ及び保持体１３の間には、若干の隙間（不図示）がある。
【００４７】
係止体４２の第２係止部４４は、切り欠き４４ａの開口部分を保持体１３に向けて、端面１０ａ及び保持体１３の間の隙間に入り込むように取り付けられる。また、各係止体４２は、第１係止部４３のプレート４３ａ及び第二係止部の間に保持体１３が位置するように、座席１に取り付けられる。
【００４８】
第１係止部４３の挿通孔４３ｃに支持棒１２が挿通されることにより。固定具４は支持棒１２に強固に係止される。また、ヘッドレスト１１を支持棒１２の軸長方向に移動させた場合であっても、第２係止部４４が保持体１３に引っ掛かるので、支持棒１２の移動に伴って固定具４が移動してしまうことを防止できる。
【００４９】
（実施の形態５）
図１３は、実施の形態５に係る固定具４を示す斜視図である。実施の形態５に係る固定具４の構成について、実施の形態４と同様な構成については、同一の符号を付してその詳細な説明を省略する。
【００５０】
実施の形態５に係る固定具４は、固定板４１を有していない。また、各係止体４２は、一方がアーム４０の中央に位置し、他方が、アーム４０の一端部に位置している。また、アーム４０の他端部には、空気清浄機３が固定されるアタッチメント４５が取り付けられている。アーム４０は、背もたれ１０の端面１０ａから突出しておらず、アタッチメント４５が背もたれ１０の端面１０ａから突出している。
【００５１】
上記の構成によれば、座席１の後部に座席が設けられている場合に、後部の座席の着席者の邪魔にならないように座席１に空気清浄機３を取り付けることができる。
【００５２】
本発明に係る固定具（２）は、機器（３）を固定する固定部（２０）と、該固定部（２０）から突出する棒状の突出体（２１）と、該突出体（２１）に着脱可能に装着され、ヘッドレスト（１１）の支持棒（１２）に係止するための係止体（２２）とを備え、機器（３）を座席（１）に固定する固定具（２）において、前記突出体（２１）は、前記突出体（２１）の突出方向に延びる溝と、外周面に設けられ、前記係止体（２２）を係止して前記突出方向に摺動可能に案内する案内レール（２１ｄ，２１ｅ）とを有し、前記係止体（２２）は、前記支持棒（１２）を係止するフック部（２３）と、該フック部（２３）の一端に延設され、前記溝に挿入されて前記突出方向に摺動可能に固定された凸部（２４）と、前記フック部（２３）の前記一端に設けられ、前記案内レール（２１ｄ，２１ｅ）に係止される被係止部とを有することを特徴とする。
【００５３】
本発明によれば、フック部（２３）をヘッドレスト（１１）の支持棒（１２）に引っ掛けて、凸部（２４）を溝に挿入して固定することにより、容易に座席（１）に取り付けることができる。また、凸部（２４）は溝において摺動可能であるので、二本の支持棒（１２）の間隔に応じて取り付けることができる。したがって、本発明に係る固定具（２）は、支持棒（１２）への取り付けが容易であり、様々な車種に対応できる。
【００５４】
また、凸部（２４）の突出体（２１）への固定が外れた場合でも、被係止部が案内レール（２１ｄ，２１ｅ）に係止されるので、係止体（２２）が突出体（２１）から脱落することを防止できる。また、案内レール（２１ｄ，２１ｅ）により突出体（２１）の突出方向への係止体（２２）の移動が担保されている。
【００５５】
本発明に係る固定具（２）は、前記突出体（２１）には、前記溝の底部（２１ａ）にて、前記突出方向に延びる孔（２１ｃ）が貫設され、前記係止体（２２）は、前記凸部（２４）に設けられたねじ穴（２４ａ）と、前記孔（２１ｃ）に挿通され、前記ねじ穴（２４ａ）に螺合し、前記凸部（２４）を前記突出体（２１）に固定するねじ（２５）とを有し、前記被係止部は、前記案内レール（２１ｄ）を覆う被覆体（２６）と、該被覆体（２６）から前記突出体（２１）の外周面に向けて突出する凸体（２７）とを有し、前記案内レール（２１ｄ）は、前記溝の側面側に位置し、前記突出方向に延びており、前記凸体（２７）を係止する凸条（２１ｄ）であり、前記孔（２１ｃ）の一端部は前記案内レール（２１ｄ）の一端部よりも延び、前記案内レール（２１ｄ）の前記一端部は前記溝の底部（２１ａ）側に曲折しており、前記案内レール（２１ｄ）の他端部は前記孔の他端部よりも延びていることを特徴とする。
【００５６】
本発明によれば、凸体（２７）が案内レール（２１ｄ）に係止されるので、係止体（２２）が突出体（２１）から脱落することを防止できる。また、ねじ（２５）及びねじ穴（２４ａ）の螺合により容易に凸部（２４）を突出体（２１）に固定することができる。
【００５７】
また、孔（２１ｃ）の一端部が案内レール（２１ｄ）の一端部よりも延びている。したがって、係止体（２２）は、案内レール（２１ｄ）の一端部側から凸部（２４）を溝に挿入した場合、凸体（２７）が案内レール（２１ｄ）に引っ掛からず、容易に突出体（２１）に装着できる。また、案内レール（２１ｄ）の一端部が前記係止体（２２）の反対側に曲折しているので、係止体（２２）が案内レール（２１ｄ）に沿って前記一端部まで移動した場合に、案内レール（２１ｄ）の一端部から凸体（２７）が抜け落ちることを防止できる。
【００５８】
更に、前記案内レール（２１ｄ）の他端部は孔（２１ｃ）の他端部よりも延びているので、係止体（２２）が孔（２１ｃ）の他端部に移動した場合に、ねじ（２５）が孔（２１ｃ）の他端部に引っ掛かり、凸体（２７）が案内レール（２１ｄ）から抜け落ちることを防止できる。
【００５９】
したがって、係止体（２２）は、案内レール（２１ｄ）から脱落しにくい。また、案内レール（２１ｄ）の一端部のみを曲折させればよいので、固定具（２）の製造の際に、案内レール（２１ｄ）の両端部を曲折させるよりも突出体（２１）の成形が容易となる。
【００６０】
本発明に係る固定具（２）は、前記係止体（２２）は、前記凸体（２７）を軸として回転可能であることを特徴とする。
【００６１】
本発明によれば、凸体（２７、２８）を軸として回転させるだけで容易にフック部（２３）及び突出体（２１）の距離を離隔させ、ヘッドレスト（１１）の支持棒（１２）を挟み、フック部（２３）を支持棒（１２）に引っ掛けることができる。これにより、固定具（２）を座席（１）に容易に取り付けることができる。
【００６２】
本発明に係る固定具（２）は、前記フック部（２３）の深さの寸法は、前記ヘッドレスト（１１）の支持棒（１２）の径方向の寸法の半分よりも大きいことを特徴とする。
【００６３】
本発明によれば、ヘッドレスト（１１）の支持棒（１２）は、フック部（２３）に、より深く引っかかる。したがって、凸部（２４）及び溝の固定が緩み、案内レール（２１ｄ）から被係止部が外れ、フック部（２３）及び突出体（２１）が離隔した場合であっても、支持棒（１２）がフック部（２３）から抜け落ちることを抑制できる。
【００６４】
本発明に係る固定具（２）は、前記係止体（２２，２２）を二つ有し、該二つの係止体（２２，２２）は、夫々の前記フック部（２３）の他端が前記突出方向において、対向するか又は反対向きになるように前記突出体（２１）に装着されていることを特徴とする。
【００６５】
本発明によれば、二つの係止体（２２，２２）の一方が支持棒（１２）から外れた場合であっても、他方の係止体（２２）においては、凸部（２４）が延設された側に支持棒（１２）がより深く引っかかることとなるので、固定具（２）が座席（１）から外れにくい。
【００６６】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。即ち、請求項に示した範囲で適宜変更した技術的手段を組み合わせて得られる実施形態も本発明の技術的範囲に含まれる。
【符号の説明】
【００６７】
１  座席
２  固定具
３  空気清浄機（機器）
２０  固定ブロック（固定部）
２１  アーム（突出体）
２１ａ  凸板（底部）
２１ｃ  長孔（孔）
２１ｄ  凸条（案内レール）
２１ｅ  長孔（案内レール）
２２  係止体
２３  フック部
２４  凸部
２４ａ  ねじ穴
２５  ねじ
２６  被覆体
２７  凸体
２８  軸体（凸体）
【図１】
0006521714.tif 000002
【図２】
0006521714.tif 000003
【図３】
0006521714.tif 000004
【図４】
0006521714.tif 000005
【図５】
0006521714.tif 000006
【図６】
0006521714.tif 000007
【図７】
0006521714.tif 000008
【図８】
0006521714.tif 000009
【図９】
0006521714.tif 000010
【図１０】
0006521714.tif 000011
【図１１】
0006521714.tif 000012
【図１２】
0006521714.tif 000013
【図１３】
0006521714.tif 000014